(57)【特許請求の範囲】
【請求項１】
所定の感知領域内で第１方向に延びた複数の第１パターンと、
前記感知領域内で第２方向に延びた複数の第２パターンと、
前記感知領域内で前記第２方向に延びた複数の第３パターンと、
前記感知領域の少なくとも一部を取り囲む１つ以上の共通ループと、
静電容量の感知モードで、前記第１パターンのそれぞれの一端に前記第１パターンのそれぞれの他端を連結するか、前記第１パターンのそれぞれの他端を開放した状態で前記第１パターンの一端に所定の電圧を印加し、前記第２パターンで表われる電圧を感知して静電容量型のタッチの位置を判定するか、前記第１パターンのそれぞれの一端に前記第１パターンのそれぞれの他端を連結するか、前記第１パターンのそれぞれの他端を開放した状態で前記第２パターンの一端に所定の電圧を印加し、前記第１パターンの一端で表われる電圧を感知して静電容量型のタッチの位置を判定する第１制御部と、
誘導電磁場の感知モードで、前記第１パターンの他端と前記第３パターンの一端の反対側にある他端が、それぞれ１つ以上の前記共通ループに連結された状態で、前記第１パターンの他端が連結された前記共通ループの電圧と前記第１パターンの一端から出力される電圧とに基づいて、前記第２方向に沿う誘導電磁場の発信位置を判定し、前記第３パターンの他端が連結された前記共通ループの電圧と前記第３パターンの一端から出力される電圧とに基づいて、前記第１方向に沿う誘導電磁場の発信位置を判定する第２制御部と、
を含む静電容量型のタッチと誘導電磁場の入力とを同時に感知することができる多重入力パッド。
【請求項２】
前記共通ループのうち少なくとも１つは、前記第３パターンの他端に連結されていることを特徴とする請求項１に記載の静電容量型のタッチと誘導電磁場の入力とを同時に感知することができる多重入力パッド。
【請求項３】
前記第３パターンは、前記第２パターンと同一基板の同一面に形成されることを特徴とする請求項１に記載の静電容量型のタッチと誘導電磁場の入力とを同時に感知することができる多重入力パッド。
【請求項４】
前記静電容量の感知モードで、
前記共通ループは、特定の電圧が印加されるか、接地に連結されるか、開状態に設定され、
前記第３パターンの一端は、特定の電圧が印加されるか、接地に連結されるか、前記第２制御部に連結されるか、開状態に設定されることを特徴とする請求項１または２に記載の静電容量型のタッチと誘導電磁場の入力とを同時に感知することができる多重入力パッド。
【請求項５】
前記誘導電磁場の感知モードで、
前記第２パターンの一端は、特定の電圧が印加されるか、接地に連結されるか、前記第１制御部に連結されるか、開状態に設定されることを特徴とする請求項１に記載の静電容量型のタッチと誘導電磁場の入力とを同時に感知することができる多重入力パッド。
【請求項６】
前記第１制御部及び前記第２制御部は、
前記静電容量の感知モードと前記誘導電磁場の感知モードとを区分された時間区間で独立して行うために、相互制御用通信線を通じて前記第１パターンに対する占有率及び占有時点を通信する請求項１に記載の静電容量型のタッチと誘導電磁場の入力とを同時に感知することができる多重入力パッド。
【請求項７】
前記第１パターン、前記第２パターン、及び第３パターンのうち少なくとも１つを用いて電子ペンの共振回路に対して誘導電磁場を放出することを特徴とする請求項１に記載の静電容量型のタッチと誘導電磁場の入力とを同時に感知することができる多重入力パッド。
【請求項８】
前記第１パターン、前記第２パターン、前記第３パターン、及び前記共通ループとは絶縁された状態に配され、電子ペンの共振回路に対して誘導電磁場を放出するように、前記感知領域の少なくとも一部を取り囲むコイル状のパワーコイルと、
誘導電磁場を放出するように、前記パワーコイルに電力を印加するコイルドライバと、
をさらに含む請求項１に記載の静電容量型のタッチと誘導電磁場の入力とを同時に感知することができる多重入力パッド。
【請求項９】
前記パワーコイルは、前記感知領域を複数の小領域に区画し、該区画された前記複数の小領域のうち１つまたは複数を取り囲む形態で構成された複数の小規模パワーコイルを含むことを特徴とする請求項８に記載の静電容量型のタッチと誘導電磁場の入力とを同時に感知することができる多重入力パッド。
【請求項１０】
前記誘導電磁場の感知モードで、前記第１パターンの他端が連結される共通ループと前記第３パターンの他端が連結される共通ループは、１つ以上の前記共通ループを共用するか、それぞれ使うことを特徴とする請求項１に記載の静電容量型のタッチと誘導電磁場の入力とを同時に感知することができる多重入力パッド。
【請求項１１】
所定の感知領域内で第１方向に延びた複数の第１パターンが形成された第１層と、
前記感知領域内で第２方向に延びた複数の第２パターンが形成された第２層と、
前記感知領域内で前記第２方向に延びた複数の第３パターンが形成された第３層と、
前記感知領域の少なくとも一部を取り囲む共通ループが形成された１つ以上の共通ループ層と、
を含むことを特徴とする静電容量型のタッチと誘導電磁場の入力とを同時に感知することができる多重入力パッド。
【請求項１２】
電子ペンの共振回路に対して誘導電磁場を放出するための少なくとも１つのパワーコイルパターンが形成されたパワーコイル層をさらに含むことを特徴とする請求項１１に記載の静電容量型のタッチと誘導電磁場の入力とを同時に感知することができる多重入力パッド。
【請求項１３】
前記第１層、前記第２層、前記第３層、前記共通ループ層、及び前記パワーコイル層のうち少なくとも２つの層は、１つの基板の両側の各面に形成されることを特徴とする請求項１２に記載の静電容量型のタッチと誘導電磁場の入力とを同時に感知することができる多重入力パッド。
【請求項１４】
前記第１層、前記第２層、前記第３層、前記共通ループ層、及び前記パワーコイル層のうち少なくとも２つの層は、１つの基板の一面に絶縁された状態に形成されるか、絶縁層を介在して積層されることを特徴とする請求項１２に記載の静電容量型のタッチと誘導電磁場の入力とを同時に感知することができる多重入力パッド。
【請求項１５】
前記共通ループ層は、前記第１層、前記第２層、前記第３層、及び前記パワーコイル層のうち、任意の層に少なくとも一部または全体が形成され、前記層を重畳させる時、各一部が互いに連結されて１つのループ状が完成されるように構成されるか、または、前記層のうち少なくとも１つの何れか一面にループ状を完成するように構成されることを特徴とする請求項１２に記載の静電容量型のタッチと誘導電磁場の入力とを同時に感知することができる多重入力パッド。
【請求項１６】
前記第１層、前記第２層、前記第３層、及び前記共通ループ層のうち少なくとも２つは、同一基板の同一面に形成されることを特徴とする請求項１１に記載の静電容量型のタッチと誘導電磁場の入力とを同時に感知することができる多重入力パッド。
【請求項１７】
請求項１１ないし請求項１６のうち何れか一項に記載の多重入力パッドと、
視覚的映像を表示するディスプレイパネル層と、を含み、
前記多重入力パッドの前記第１層、前記第２層、前記第３層、前記共通ループ層、及び前記ディスプレイパネル層は、任意の順序で積層されることを特徴とする静電容量型のタッチと誘導電磁場の入力とを同時に感知することができる多重入力パッドを備えたタッチスクリーン装置。
【発明の詳細な説明】
【技術分野】
【０００１】
本発明は、指先のタッチと電子ペンの操作とを同時に感知することができる多重入力パッド及び入力システムに係り、より詳細には、静電容量型のタッチと誘導電磁場の入力とを同時に感知する多重入力パッド及びそれを備えた入力システムに関する。
【背景技術】
【０００２】
指先のタッチと誘導電磁場を放出する電子ペンの操作とを同時に感知するための従来技術としては、特許文献１（名称：指と共振回路とを備えたポインターの位置を同時に検出することができるタブレット）を参考にすることができる。
【０００３】
前記従来技術では、図１のように、第１ラインアンテナ１１１及び第１ライン電極１２１が形成された基板と第２ラインアンテナ１１２及び第２ライン電極１２２が形成された基板とを重畳させることによって、第１方向及び第２方向に沿った座標を感知できるように具現している。
【０００４】
一方、指先のタッチを感知するためには、例えば、第１方向の第１ライン電極に対して所定の交流電圧であるＴＸ信号を印加し、第２方向の第２ライン電極で指によるＲＸ信号を受信しなければならない。
【０００５】
この際、一般的なパターン構成では、ＴＸ信号による強い交流電界が発生できるように、ＴＸ信号のための電極は、最大限広く構成されることが望ましい。したがって、ＴＸ信号が印加される第１ライン電極のそれぞれを最大限広く形成するために、それぞれの第１ライン電極は、隣接した第１ライン電極に対して最小限の間隔を有するように稠密に構成される。
【０００６】
一方、従来技術でのような、指先のタッチと電子ペンの操作とを同時に感知するためのタブレットを具現するためには、ＴＸ信号のための第１ライン電極のパターンの間に第１ラインアンテナのパターンが配されなければならない。しかし、このような構造では、第１ライン電極のパターンの間にラインアンテナのパターン、及びそのパターンとの一定の間隔が必須的であるので、相対的に第１ライン電極のパターンの幅がある程度減少するしかない。
【０００７】
これは、第１ライン電極に表われるＴＸ信号の強度が弱くなって、静電容量型の指先のタッチ感知の感度に制限を加えることができる。
【０００８】
また、第１ライン電極のパターンの間に第１ラインアンテナのパターンを配置することは、基板に配列されるパターンの個数の増加を意味する。一方、パターンの個数が多くなるほど、パターンから外部の素子に連結されるために構成される連結線の個数も多くなる。連結線は、指や電子ペンの感知に使われるものではないので、パターンの外部を通じて流れ、ベゼル領域を構成する。
【０００９】
したがって、連結線の個数が多くなるほど、ベゼル領域が広く必要となるので、ベゼル幅を最小化しようとする最近の趨勢には不利である。
【先行技術文献】
【特許文献】
【００１０】
【特許文献１】韓国登録特許第１０２７６７２号
【発明の概要】
【発明が解決しようとする課題】
【００１１】
本発明は、従来技術における問題点、すなわち、静電容量型の指先のタッチ感知と誘導電磁場方式の電子ペンの入力感知とを同時に行うために、ＴＸ信号のためのライン電極の間にラインアンテナを配置することによって、ライン電極の幅が細くなり、これにより、ライン電極の間の間隔が遠くなって、タッチ感知の感度が落ちるという前述した問題点を解決することができる静電容量型のタッチと誘導電磁場の入力とを同時に感知する多重入力パッドを提供することである。
【００１２】
すなわち、ＴＸ信号のための電極の幅を減らさないことによって、静電容量型の指先のタッチ感知の性能を保持しながらも、誘導電磁場による電子ペンの位置感知を行える多重入力パッドを提供することを目的とする。
【００１３】
また、パターンの外部に構成される連結線の個数を最小化して、ベゼル幅を最小化した静電容量型のタッチと誘導電磁場の入力とを同時に感知する多重入力パッドを提供することである。
【課題を解決するための手段】
【００１４】
本発明の一面によれば、所定の感知領域内で第１方向に延びた複数の第１パターンと、前記感知領域内で第２方向に延びた複数の第２パターンと、前記感知領域内で前記第２方向に延びた複数の第３パターンと、前記感知領域の少なくとも一部を取り囲む１つ以上の共通ループと、静電容量の感知モードで、前記第１パターンのそれぞれの一端に前記第１パターンのそれぞれの他端を連結するか、前記第１パターンのそれぞれの他端を開放した状態で前記第１パターンの一端に所定の電圧を印加し、前記第２パターンで表われる電圧を感知して静電容量型のタッチの位置を判定するか、前記第１パターンのそれぞれの一端に前記第１パターンのそれぞれの他端を連結するか、前記第１パターンのそれぞれの他端を開放した状態で前記第２パターンの一端に所定の電圧を印加し、前記第１パターンの一端で表われる電圧を感知して静電容量型のタッチの位置を判定する第１制御部と、誘導電磁場の感知モードで、前記第１パターンの他端と前記第３パターンの一端の反対側にある他端が、それぞれ１つ以上の前記共通ループに連結された状態で、前記第１パターンの他端が連結された前記共通ループの電圧と前記第１パターンの一端から出力される電圧とに基づいて、前記第２方向に沿う誘導電磁場の発信位置を判定し、前記第３パターンの他端が連結された前記共通ループの電圧と前記第３パターンの一端から出力される電圧とに基づいて、前記第１方向に沿う誘導電磁場の発信位置を判定する第２制御部と、を含む静電容量型のタッチと誘導電磁場の入力とを同時に感知することができる多重入力パッドが提供されうる。
【００１５】
前記共通ループのうち少なくとも１つは、前記第３パターンの他端に連結されている。
【００１６】
前記第３パターンは、前記第２パターンと同一基板の同一面に形成されうる。
【００１７】
前記静電容量の感知モードで、前記共通ループは、特定の電圧が印加されるか、接地に連結されるか、開（Ｏｐｅｎ）状態に設定され、前記第３パターンの一端は、特定の電圧が印加されるか、接地に連結されるか、前記第２制御部に連結されるか、開状態に設定しうる。
【００１８】
前記誘導電磁場の感知モードで、前記第２パターンの一端は、特定の電圧が印加されるか、接地に連結されるか、前記第１制御部に連結されるか、開状態に設定しうる。
【００１９】
前記第１制御部及び前記第２制御部は、前記静電容量の感知モードと前記誘導電磁場の感知モードとを区分された時間区間で独立して行うために、相互制御用通信線を通じて前記第１パターンに対する占有率及び占有時点を通信することができる。
【００２０】
前記第１パターン、前記第２パターン、及び第３パターンのうち少なくとも１つを用いて電子ペンの共振回路に対して誘導電磁場を放出することができる。
【００２１】
前記第１パターン、前記第２パターン、前記第３パターン、及び前記共通ループとは絶縁された状態に配され、電子ペンの共振回路に対して誘導電磁場を放出するように、前記感知領域の少なくとも一部を取り囲むコイル状のパワーコイルと、誘導電磁場を放出するように、前記パワーコイルに電力を印加するコイルドライバと、をさらに含みうる。
【００２２】
前記パワーコイルは、前記感知領域を複数の小領域に区画し、該区画された前記複数の小領域のうち１つまたは複数を取り囲む形態で構成された複数の小規模パワーコイルを含みうる。
【００２３】
前記誘導電磁場の感知モードで、前記第１パターンの他端が連結される共通ループと前記第３パターンの他端が連結される共通ループは、１つ以上の前記共通ループを共用するか、それぞれ使うことができる。
【００２４】
また、本発明の他の側面によれば、所定の感知領域内で第１方向に延びた複数の第１パターンが形成された第１層と、前記感知領域内で第２方向に延びた複数の第２パターンが形成された第２層と、前記感知領域内で前記第２方向に延びた複数の第３パターンが形成された第３層と、前記感知領域の少なくとも一部を取り囲む共通ループが形成された１つ以上の共通ループ層と、を含むことを特徴とする静電容量型のタッチと誘導電磁場の入力とを同時に感知することができる多重入力パッドパッドが提供されうる。
【００２５】
電子ペンの共振回路に対して誘導電磁場を放出するための少なくとも１つのパワーコイルパターンが形成されたパワーコイル層をさらに含みうる。
【００２６】
前記第１層、前記第２層、前記第３層、前記共通ループ層、及び前記パワーコイル層のうち少なくとも２つの層は、１つの基板の両側の各面に形成されうる。
【００２７】
前記第１層、前記第２層、前記第３層、前記共通ループ層、及び前記パワーコイル層のうち少なくとも２つの層は、１つの基板の一面に絶縁された状態に形成されるか、絶縁層を介在して積層されうる。
【００２８】
前記共通ループ層は、前記第１層、前記第２層、前記第３層、及び前記パワーコイル層のうち、任意の層に少なくとも一部または全体が形成され、前記層を重畳させる時、各一部が互いに連結されて１つのループ状が完成されるように構成されるか、または、前記層のうち少なくとも１つの何れか一面にループ状を完成するように構成することができる。
【００２９】
前記第１層、前記第２層、前記第３層、及び前記共通ループ層のうち少なくとも２つは、同一基板の同一面に形成されうる。
【００３０】
また、本発明のさらに他の側面によれば、前記したところによる多重入力パッドと、視覚的映像を表示するディスプレイパネル層と、を含み、前記多重入力パッドの前記第１層、前記第２層、前記第３層、前記共通ループ層、前記パワーコイル層、及び前記ディスプレイパネル層は、任意の順序で積層されることを特徴とする静電容量型のタッチと誘導電磁場の入力とを同時に感知することができる多重入力パッドを備えたタッチスクリーン装置が提供されうる。
【発明の効果】
【００３１】
本発明による静電容量型のタッチと誘導電磁場の入力とを同時に感知する多重入力パッドによれば、ＴＸ信号が印加されることによって、静電容量型のタッチ感知に用いられる第１パターンを、誘導電磁場を放出する電子ペンを感知するための用途として兼用させうる。
【００３２】
これにより、第１パターンのサイズを減らさないこともあるので、静電容量型のタッチ感知の感度が低下しない。また、第１パターンの連結線が増加するものではないので、ベゼル領域が拡大される必要もない。
【００３３】
また、各パターンが基板に多様な方式として具現されて、多重入力パッドの製作が容易である。
【図面の簡単な説明】
【００３４】
【図１】従来技術による指とポインターの位置を同時に検出するために適用される第１方向及び第２方向に沿ったパターンの形態を示す図面である。
【図２】本発明の一実施形態による静電容量型のタッチと誘導電磁場の入力とを同時に感知する多重入力パッドの構造を示す図面である。
【図３】本発明の他の実施形態による静電容量型のタッチと誘導電磁場の入力とを同時に感知する多重入力パッドの構造を示す図面である。
【図４】本発明のさらに他の実施形態による静電容量型のタッチと誘導電磁場の入力とを同時に感知する多重入力パッドの構造を示す図面である。
【図５】本発明による多重入力パッドにおいて、各パターンの重畳された形態を示す図面である。
【図６】図５のパターンにおいて、第１パターン及び第１パターンのそれぞれの両端から各制御部及びスイッチング素子に至る連結線の配置形態を示す図面である。
【図７】図５のパターンにおいて、第２パターン、第３パターン、及び共通ループの配置形態を示し、また、各パターンの連結線の配置形態を示す図面である。
【図８】本発明による多重入力パッドとディスプレイパネルとパワーコイルとを配置する一例を示す図面である。
【図９】本発明による多重入力パッドとディスプレイパネルとパワーコイルとを配置する他の例を示す図面である。
【図１０】本発明による多重入力パッドとディスプレイパネルとパワーコイルとを配置するさらに他の例を示す図面である。
【図１１】多様なパワーコイルの配置形態を示す断面図である。
【図１２】パワーコイルのパターンを複数の基板に形成し、その基板を互いに重畳させてパターンを１つに連結させて１つのパワーコイルを形成する例を示す図面である。
【図１３】パワーコイルを感知パターンが形成された基板の周り部分に配置した例を示す図面である。
【図１４】図１３とは異なって、パワーコイルを感知パターンが形成された面の反対面に形成した例を示す図面である。
【図１５】パワーコイルを別途の基板に形成した後、多重入力パッド及びディスプレイパネルと重畳させる例を示す図面である。
【発明を実施するための形態】
【００３５】
以下、添付図面を参照して、本発明による静電容量型のタッチと誘導電磁場の入力とを同時に感知する多重入力パッドの望ましい実施形態を説明する。参考までに、以下、本発明を説明するに当って、本発明の構成要素を指称する用語は、それぞれの構成要素の機能を考慮して名付けられたものなので、本発明の技術的構成要素を限定する意味として理解されてはならない。
【００３６】
図２を参照して、本発明の一実施形態による静電容量型のタッチと誘導電磁場の入力とを同時に感知する多重入力パッドの構造を説明する。図面を参照すれば、前記多重入力パッドは、複数の第１パターン１１と、複数の第２パターン２１と、複数の第３パターン３１と、共通ループ３２と、第１制御部５１と、第２制御部５２と、を含んで構成することができる。また、スイッチング素子として第１ＭＵＸ４１をさらに含みうる。
【００３７】
感知領域は、ユーザが指を接近またはタッチすることによって、静電容量型のタッチ入力が可能であり、また誘導電磁場を放出する電子ペンを接近またはタッチすることによって、誘導電磁場の入力が可能な領域を示す。感知領域は、電子機器の特定の位置に定義されるが、特に、ディスプレイパネルの表面のうち少なくとも一部であり得る。以下の説明では、共通ループ３２が取り囲む領域と感知領域とが一致するものと説明する。また、感知領域がディスプレイパネルの表面全体であると説明する。
【００３８】
第１方向は、感知領域の任意の直線方向を意味する。また、第２方向は、第１方向と交差するさらに他の直線方向を意味する。例えば、第１方向は、任意のＸ軸方向であり、第２方向は、Ｘ軸と直交するＹ軸方向であり得る。
【００３９】
本発明で、誘導電磁場の入力を行う電子ペンは、筆記具の形態で構成され、内部にキャパシタとインダクターとを含む共振回路を備えることができる。
【００４０】
一方、電子ペンは、自体的にバッテリを備え、バッテリで提供する電力で共振回路に交流電圧を印加することによって、電子ペンの一部、例えば、ペン先を通じて誘導電磁場を放出するように構成することができる。また、電子ペンは、外部の電源に有線連結され、有線連結された外部電源から電力を直接供給されて誘導電磁場を放出するように動作することもできる。
【００４１】
本発明での電子ペンは、別途のバッテリを備えるか、有線で電力を供給されるものではなく、外部で発生する誘導電磁場に共振回路が共振して誘導電圧が生成され、該生成された誘導電圧がキャパシタに保存され、外部からの誘導電磁場が除去されれば、キャパシタに保存された誘導電圧によって共振回路で自ら誘導電磁場を放出するように構成することができる。このような電子ペンは、無電源電子ペンと呼ばれる。
【００４２】
第１パターン１１は、感知領域内で第１方向に沿って延びた導電性パターンである。
【００４３】
第１パターン１１は、例えば、所定の幅を有する棒状、幅が連続して変わる形態、特定の図形の頂点が互いに連結されるように連続して並んだ形態など多様な形態で構成することができる。また、第１パターン１１は、直線に沿って形成された真っ直ぐな形態だけではなく、正弦波のような一定の曲線に沿って曲がった形態であるか、または多様な自由曲線に沿って曲がった形態で構成することもできる。
【００４４】
一方、第１パターン１１は、第２方向に沿って複数個が配列されうる。この際、それぞれの第１パターン１１は、少なくとも感知領域内では互いに間隔を置いて平行に配され、互いに絶縁された状態であり、さらに他のパターン（例えば、第２パターン）に対しても絶縁されうる。
【００４５】
本発明で、第１パターン１１は、ユーザの指による静電容量タッチを感知するためのものであって、第１方向に沿った直線のバンド状に構成されたものを例として説明する。
【００４６】
第２パターン２１は、感知領域内で第２方向に沿って延びた導電性パターンであって、第１パターン１１と類似した形態、または互いに異なる形態で構成することができる。本発明では、第２方向に沿った直線のバンドまたはワイヤ状に構成されたものを例として説明する。
【００４７】
第２パターン２１は、第１方向に沿って複数個が配列され、少なくとも感知領域内では互いに一定の間隔を置いて平行に配される。しかし、本発明の権利範囲が、これに限定されず、第２パターン２１の間隔が異なって複数の第２パターン２１が配置される。第２パターン２１は、互いに絶縁された状態であり、さらに他のパターン、特に、第１パターン１１と絶縁された状態であり、それ以外の他のパターンとも絶縁されうる。また、第２パターン２１は、第１パターン１１とは感知領域内で重畳される。
【００４８】
ここで、１つの基板、特に、透明なフィルム基板で、一面には第１パターン１１を形成し、反対面には第２パターン２１を形成することによって、各パターンが互いに絶縁されながら重畳されうる。または、何れか１つのフィルム基板に第１パターン１１を形成し、さらに他のフィルム基板に第２パターン２１を形成し、各基板を重畳させることができる。または、基板の何れか一面に第１パターンを形成し、絶縁物質を塗布して絶縁層を形成し、該形成された絶縁層上に再び第２パターンを形成する方式で、各パターンを絶縁及び重畳させることもできる。
【００４９】
一方、前記の第１パターン１１は、例えば、静電容量型の指先のタッチを感知するための電極パターンであって、ＴＸ信号が印加されてパターンの外部に交流電界を放出するＴＸパターンであり得る。
【００５０】
また、前記の第２パターン２１は、ＴＸパターンから放出される交流電界（ＴＸ信号）を受信するためのＲＸパターンであり得る。
【００５１】
ＴＸ信号は、所定の周波数を有する交流電圧であり、この交流電圧が印加されれば、ＴＸパターンでは、前記周波数の交流電界を放出する。放出された交流電界は、ＲＸパターンに入力されうる。もし、指のような電界吸収物体がＴＸパターンまたはＲＸパターンに接近すれば、ＴＸパターンからＲＸパターンに入力された交流電界の一部が電界吸収物体に吸収され、これにより、ＲＸパターンでは、変化された交流電界に対応するＲＸ信号を出力する。
【００５２】
この際、交流電界が変化された地点のＴＸパターン及びＲＸパターンの位置を用いて電界吸収物体の位置を判定させうる。また、変化された交流電界の量を用いて接近または接触如何、接近距離などを判定させうる。
【００５３】
電界吸収物体は、人体、特に、指だけではなく、接地と連結されたか、所定の電界吸収回路を含む電子装置であり得る。
【００５４】
一方、前記説明では、第１パターン１１をＴＸパターンとし、第２パターン２１をＲＸパターンとしたが、第２パターン２１にＴＸ信号を印加し、第１パターン１１でＲＸ信号を出力するように構成することもできる。
【００５５】
さらに、位置関係において、第１パターン１１が下部に位置し、第２パターン２１がその上に位置することもでき、逆に、第２パターン２１が下部に位置し、第１パターン１１がその上に位置するように配されてもよい。
【００５６】
第３パターン３１は、感知領域内で、第２パターン２１の間で第２方向に配列された複数の導電性パターンであって、前記第１パターン１１及び第２パターン２１と絶縁される。
【００５７】
共通ループ３２は、少なくとも感知領域を取り囲むループ状の導電性パターンであって、接地電圧または所定値の電圧が印加されうる。また、共通ループ３２は、如何なる電圧も印加されないフローティング（ｆｌｏｔｉｎｇ）状態に設定することもある。
共通ループ３２も、他のパターンとは絶縁された状態に配される。但し、共通ループ３２には、第３パターン３１の他端が連結されうる。
【００５８】
すなわち、第３パターン３１のそれぞれの他端は、共通ループ３２の一側弁に連結され、ここから第３パターン３１の一端は、感知領域を横切った後、引き続き共通ループ３２の他側辺を横切って感知領域の外部に延びる形態で構成されるが、共通ループ３２の他側辺を横切る部分で共通ループ３２と第３パターン３１は、互いに絶縁された状態である。
【００５９】
一方、前述した第１パターン１１、第２パターン２１、第３パターン３１、共通ループ３２は、それぞれ個別的な基板に形成されうる。基板は、透明基板であることが望ましく、柔軟性を有するフィルム基板であることが望ましい。一方、第２パターン２１と第３パターン３１は、１つの基板に互いに平行に同時に構成することができる。
【００６０】
また、共通ループ３２のパターンは、第１パターン１１、第２パターン２１、第３パターン３１、及び共通ループ３２が形成されたそれぞれの基板に少なくとも一部ずつ分割されて形成され、各基板がいずれも重畳された時、各一部が連結されて１つの共通ループ３２を構成させることもできる。
【００６１】
また、共通ループ３２のパターンは、第１パターン１１の周りに１つが形成され、第３パターン３１の周りにもう１つが形成されて、各パターンごとに個別的な共通ループを提供する方式で構成することもできる。このように形成されたそれぞれの共通ループは、互いに絶縁された状態で独立して制御されるか、互いに同一電位で連結される構成も可能である。
【００６２】
第１パターン１１、第２パターン２１、第３パターン３１、共通ループ３２のうち少なくとも２種のパターンは、１つの基板の同じ面に形成されるか、１つの基板の両面のそれぞれに形成されうる。
【００６３】
前記の説明で、第２パターン２１の間に第３パターン３１が配列されると説明したが、これは、第２パターン２１と第３パターン３１とが同一基板の同じ面に形成されうるということを意味する。もし、第２パターン２１と第３パターン３１が、それぞれの個別的な基板に形成される場合には、第３パターン３１が、必ずしも第２パターン２１の間に配されなければならないものではない。また第２パターン２１と第３パターン３１が、同一基板の同じ面に形成されても、必ずしも第２パターン２１の間に第３パターン３１が配列されなければならないものではなく、第３パターン３１を取り囲むように第２パターン２１が配列されるか、第２パターン２１を取り囲むように第３パターン３１が配列されることもある。
【００６４】
第１制御部５１は、静電容量タッチを感知するための制御部であって、静電容量の感知モードで、指や電子ペン（接地に連結されたか、交流電界を吸収する回路を含む電子ペン）が感知領域に接近またはタッチすることを感知し、該感知されたタッチ位置についての座標情報を出力することができる。
【００６５】
そのために、第１制御部５１は、第１パターン１１のそれぞれの他端を開放させるか、第１パターンのそれぞれの他端を、それぞれの一端に連結させ、第１パターンのうち何れか１つまたは複数に所定の電圧を印加する。すなわち、ＴＸ信号を印加する。そして、第２パターンのうち１つまたは複数から出力される電圧を感知する。すなわち、ＲＸ信号を感知する。
【００６６】
感知されるＲＸ信号の特性（例えば、振幅または周波数）が変化する位置を識別すれば、当該位置に対応する第１パターンと第２パターンとが静電容量タッチの位置と判定されうる。
【００６７】
第２制御部５２は、誘導電磁場の入力を感知するための制御部であって、誘導電磁場の感知モードで、共振回路を備えて誘導電磁場を放出する電子ペンが感知領域に接近またはタッチすれば、当該位置についての座標情報を出力することができる。
【００６８】
すなわち、第２制御部５２は、第１パターン１１の他端のうち１つを選択して共通ループに連結させ、共通ループの電圧と選択された何れか１つの他端に対応する一端から出力される誘導電圧とを互いに比較して、電子ペンの位置（共振回路で発信する誘導電磁場の位置）を感知する。または、第１パターン１１のあらゆる他端を同時に共通ループに連結させ、第１パターン１１のうち少なくとも１つを選択し、該選択されたパターンの一端から出力される誘導電圧と共通ループの電圧とを比較して、電子ペンの位置を感知する。
このように第１パターンを利用すれば、第２方向に沿った電子ペンの位置を感知することができる。
【００６９】
引き続き、第２制御部５２は、第３パターン３１のうち１つを選択し、該選択されたパターンから出力される誘導電圧と共通ループの電圧とを比較して、電子ペンの位置を感知する。このように第３パターンを利用すれば、第１方向に沿った電子ペンの位置を感知することができる。
【００７０】
静電容量の感知モードでタッチを感知する間と、誘導電磁場の感知モードのうち少なくとも第２方向に沿った電子ペン位置を感知する間には、第１パターンを共通して使うので、前記各動作は、重畳されないように個別的に実行されなければならない。したがって、第１制御部５１と第２制御部５２は、相互制御用通信線５３を通じて連結され、この通信線５３を通じてそれぞれの動作モード、第１パターン１１に対する占有率及び占有時点／時間が相手に通報されうる。
【００７１】
一方、静電容量の感知モードで動作する間に、使われない共通ループには、特定の電圧が印加されうる。または、共通ループと接地を連結させるか、共通ループを開放状態に保持することができる。
【００７２】
また、静電容量の感知モードで動作する間に、使われない第３パターンは、第２制御部に連結された状態に保持されるか、開放状態に設定されるか、特定の電圧が印加されうる。
【００７３】
また、誘導電磁場の感知モードで、使われない第２パターンは、特定の電圧が印加されるか、接地に連結されるか、第１制御部に連結された状態に保持されるか、開状態に設定しうる。
【００７４】
スイッチング素子の一例として、第１ＭＵＸ４１は、２：１ＭＵＸであり、２つの入力と１つの出力とを有しうる。何れか１つの入力には、第１パターン１１のうち何れか１つの一端が連結され、他の１つの入力には、共通ループとの連結点が連結されうる。出力には、入力に連結されたパターンの他端が連結されうる。この第１ＭＵＸ４１は、第１パターンの個数ほど配置される。
【００７５】
第１ＭＵＸ４１は、両入力と出力とをいずれも開放させることもできる。
【００７６】
第１ＭＵＸ４１の選択動作は、第１制御部５１または第２制御部５２によって制御される。すなわち、静電容量の感知モードでは、第１パターンの一端と他端とを互いに連結させることによって、連結させるか、いずれも開放させ、誘導電磁場の感知モードでは、共通ループと第１パターンの他端とを互いに連結させるように制御される。
より詳細には、本実施形態で、第１制御部５１及び第２制御部５２の動作に対する一例を挙げれば、次の通りである。
【００７７】
（１）静電容量の感知モードにおいて：
第１制御部５１は、第２制御部５２に対して静電容量の感知モードの実行及び第１パターン１１に対する占有を通報する。通報を受けた第２制御部は、誘導電磁場の感知動作を待機する。
【００７８】
そして、第１ＭＵＸの動作が任意の制御部によって制御されて、第１パターンの一端を出力として選択することによって、第１パターンの一端と他端とが互いに連結されてループを構成する。また、第１ＭＵＸは、あらゆる入出力を開放するように制御されることもできる。
【００７９】
この際、共通ループ３２は、特定の電圧が印加されるか、接地と連結されるか、開状態に設定することもある。
【００８０】
また、第３パターン３１は、特定の電圧が印加されるか、接地と連結されうる。また、第２制御部５２との連結状態に保持されるか、開状態に設定することもある。
【００８１】
この状態で、第１制御部は、第１パターンの一端のうち何れか１つまたは複数個に対してＴＸ信号を印加する。そして、第２パターンのうち何れか１つまたは複数を選択してＲＸ信号を受信し、該受信されるＲＸ信号に基づいて静電容量タッチの位置を判定することができる。
【００８２】
ここで、第１パターンの一端を出力として選択させて両端を連結させることによって、ＴＸ信号が、第１パターンの一端及び他端に同時に印加されるダブルルーティングが具現される。
【００８３】
（２）誘導電磁場の感知モードにおいて：
第２制御部５２は、第１制御部５１に対して誘導電磁場の感知モードの実行及び第１パターン１１に対する占有を通報する。通報を受けた第１制御部５１は、静電容量の感知動作を待機する。
【００８４】
また、第２パターンに対しては、特定の電圧を印加させるか、接地に連結させるか、第１制御部と連結させるか、開状態に設定することができる。
【００８５】
そして、第１ＭＵＸ４１の動作が任意の制御部によって制御されて、第１パターン１１の他端が共通ループ３２と連結される。すなわち、共通ループ３２との連結端が出力として選択されるように制御する。
【００８６】
この状態で、第２制御部５２は、第１パターン１１のうち何れか１つの一端を選択し、該選択された一端で表われる誘導電圧と共通ループ３２の電圧との電位差を比較して、選択された第１パターンを基準に誘導電磁場の発信位置（すなわち、共振回路を有する電子ペンの接近位置）を判定する。この際、第１パターン１１に対する選択は、特定の基準位置から１つずつ隣接したパターンを選択するように、または基準位置から任意の順序で選択するように処理されうる。
【００８７】
一方、第２制御部５２は、第１パターン１１を用いた誘導電磁場の感知動作と共に、または交互に、第３パターン３１を用いた誘導電磁場の感知動作を行う。第２制御部５２は、第３パターン３１のうち何れか１つを選択し、感知される誘導電圧を共通ループ３２の電位と比較することによって、選択された第３パターンを基準に誘導電磁場の発信位置を判定することができる。
【００８８】
第１パターンによって判定された位置と第３パターンによって判定された位置とを組み合わせて感知領域に対する電子ペンの２次元座標を生成することができる。
【００８９】
このような本発明の一実施形態による多重入力パッドは、静電容量型のタッチ感知のための電極パターンのうち、パターンの間の空間にある程度余裕がある第２パターン（ＲＸパターン）２１の間には、電子ペン感知専用の第３パターン３１を追加し、パターンの間の空間に余裕がない第１パターン（ＴＸパターン）１１の場合には、第１パターンの一端を共通ループ３２と選択的に連結または開放させるようにスイッチング素子である第１ＭＵＸ４１を適用して、電子ペンの感知のためのアンテナパターンで兼用できるように構成された。
【００９０】
このような構成によって、少なくとも第１パターン（ＴＸパターン）１１の場合には、パターンの幅を最大に構成することができるので、タッチ感知の感度が保持される。
【００９１】
また、第１パターンをそのまま用いて静電容量タッチと誘導電磁場の入力とをいずれも感知することができるので、追加的なパターンを構成することによる連結線の増加がなくて、連結線のためのベゼル幅の最小化に有利である。
【００９２】
図３は、本発明の他の実施形態による静電容量型のタッチと誘導電磁場の入力とを同時に感知する多重入力パッドの構造を示す図面である。図面を参照すれば、他の方式のスイッチング素子として機能する第２ＭＵＸ４２とスイッチアレイ４３とが付加された点が特異である。
【００９３】
スイッチアレイ４３は、第１パターン１１の一端が、相当するそれぞれの他端と帰還連結される構造で、帰還連結を許容するか、開放させるための目的として適用される。
【００９４】
スイッチアレイ４３は、静電容量の感知モードでは、第１パターン１１の一端と他端とを互いに１対１連結させるように制御され、誘導電磁場の感知モードでは、第１パターン１１の一端と他端との連結を開放させるように制御される。
【００９５】
第２ＭＵＸ４２は、第１パターン１１が形成するそれぞれのループとの連結点を入力とし、共通ループ３２との連結点を出力としている。第２ＭＵＸ４２は、第１パターン１１の個数に対応する入力を有しうる。
【００９６】
静電容量の感知モードで、第２ＭＵＸ４２は、あらゆる入力を開放させるか、またはあらゆる入力を高インピーダンスで設定して、開放と同じ状態に保持するように制御される。
【００９７】
そして、第１パターン１１のうち何れか１つまたは複数個に対してＴＸ信号が印加されうる。
【００９８】
一方、スイッチアレイ４３が、第１パターン１１の一端と他端とを互いに連結させれば、第１パターン１１のそれぞれの両端にＴＸ信号が印加されるダブルルーティングが具現され、スイッチアレイ４３がいずれも開放されれば、ＴＸ信号は、第１パターン１１の一端のみに印加されるシングルルーティングが具現されうる。
【００９９】
引き続き、誘導電磁場の感知モードで、第２ＭＵＸ４２は、あらゆる入力を出力として連結するか、１つまたは複数の入力を出力として連結するように制御され、これにより、第１パターン１１の他端が、共通ループ３２と連結されうる。
【０１００】
このような制御動作は、第１制御部５１及び／または第２制御部５２に設定された相互規約によって、何れか１つまたは両者が協力して処理することができる。または別途の制御手段によって処理されることもできる。
【０１０１】
このような構成では、選択された第１パターンが共通ループ３２を横切る構造になって、電子ペンから放出される誘導電磁場によって選択された第１パターンから誘導電圧が出力される。
【０１０２】
次いで、図４を参照して、本発明のさらに他の実施形態による静電容量型のタッチと誘導電磁場の入力とを同時に感知する多重入力パッドの構造を説明する。
【０１０３】
示された実施形態の構成は、図３に示された実施形態の構成に比べて、スイッチアレイが除外され、第１パターン１１の一端のそれぞれと他端のそれぞれが、第１制御部に入力されているという点が異なる。スイッチング素子である第３ＭＵＸ４４は、第２ＭＵＸ４２と同一である。
【０１０４】
このような構成によれば、スイッチアレイ４３を付け加えずとも、第１制御部５１の制御によって、第１パターン１１の他端を、それぞれの一端に連結または開放させうる。
【０１０５】
すなわち、静電容量の感知モードでは、第１制御部５１は、第１パターン１１の他端を、それぞれの一端に連結させるか（ダブルルーティング）、開放させ（シングルルーティング）、第３ＭＵＸ４４のあらゆる入出力を開放させる。
【０１０６】
一方、誘導電磁場の感知モードでは、第１制御部５１は、第１パターン１１の他端をいずれも開放させ、第３ＭＵＸ４４は、任意の他端を共通ループ３２に連結させるように制御される。
【０１０７】
一方、本発明の多様な実施形態による多重入力パッドには、パワーコイルとそれを駆動するためのコイルドライバとをさらに含みうる。このような構成は、図２ないし図４を参考にすることができる。
【０１０８】
パワーコイル６１は、感知領域の一部または全体面から共振回路を含む電子ペンに対して誘導電磁場を用いてエネルギーを供給するためのものである。パワーコイル６１は、感知領域の周りに沿って巻き取られたコイル状に構成され、所定の周波数、特に、電子ペンの共振回路の共振周波数に対応する周波数の交流電圧／電流が印加されうる。
【０１０９】
パワーコイル６１は、１つの基板に渦状に印刷された１つのパターンで構成され、または、このように形成されたパターンが複数の基板に形成され、複数の基板を重畳させた後、パターンを互いに連結して１つのパワーコイル６１を構成することもできる（例えば、図１２参照）。
【０１１０】
このような交流電圧／電流は、コイルドライバ６３によって供給される。一方、コイルドライバ６３のエネルギー供給動作は、誘導電磁場の感知モードと同期してなされうる。
【０１１１】
誘導電磁場の感知モードは、パワーコイル６１を通じて電子ペンに対して誘導電磁場によってエネルギーを供給するエネルギー供給周期と、電子ペンから放出される誘導電磁場の位置を第１パターン１１及び第３パターン３１を通じて感知する電子ペン感知周期と、に区分されうるが、パワーコイル６１は、エネルギー供給周期のみで動作するように制御されることが望ましい。
【０１１２】
一方、パワーコイル６１は、感知領域を複数の小領域に区画し、各小領域ごとに小規模のコイルを形成し、それぞれのコイルに交流電圧／電流を印加して誘導電磁場を放出させることもできる（例えば、図１０（ｂ）参照）。
【０１１３】
パワーコイル６１は、操作入力のための電子ペンが電力を長時間保存することができるバッテリのような充電手段を有さない場合に適用可能である。パワーコイル６１は、電子ペンが単に共振回路を有することによって、短時間の間のみエネルギーを放出するように具現された場合、その放出時間と同期して共振回路に対してエネルギーを供給するための目的として追加されるものである。
【０１１４】
もし、電子ペンが自体的にバッテリを搭載して能動的に誘導電磁場を放出することができるならば、パワーコイル６１は備えられなくても良い。
【０１１５】
一方、パワーコイルは、前述したところのような別途のパターンを追加せず、既存の第１ないし第３パターンを用いて具現されることもある。例えば、第１パターン１１のうち１つまたは複数の一端及び他端を適切に選択すれば、該選択された第１パターンを含むパワーコイルのパターンを形成しうる。そして、そのパターンに特定の電圧を印加すれば、第１パターン１１を通じて誘導電磁場を放出するように具現することができる。
【０１１６】
図５ないし図７は、本発明による静電容量型のタッチ感知用パターンを用いて誘導電磁場を感知することができる多重入力パッドにおいて、各パターンを各基板に形成した形態を説明する図面である。
【０１１７】
図５は、本発明による多重入力パッドにおいて、第１パターン１１、第２パターン２１、第３パターン３１、及び共通ループ３２パターン、そして、各パターンを対応する素子（例えば、第１制御部、第２制御部、スイッチング素子など）に連結するための連結線１２が形成された基板を重畳させたパターン形態を示す図面である。
【０１１８】
図６は、図５のパターンにおいて、第１パターン１１及び第１パターン１１のそれぞれの両端から各制御部及びスイッチング素子に連結されるための連結線１２のパターン形態を示す図面である。
【０１１９】
図面では、第１パターン１１は、感知領域内に配され、各連結線１２は、感知領域の外部で指定された位置に流れるように構成される。特に、各連結線１２が配される感知領域の外部は、ディスプレイパネルの外部、すなわち、ベゼルを構成する。
【０１２０】
このような第１パターン１１は、ＰＥＴのような透明な基板上にＩＴＯのような透明導電性物質を印刷する方式で形成されうる。
【０１２１】
一方、第１制御部及び第２制御部、スイッチング素子は、前記基板の外部である他の基板に配されるものであるために、前記連結線１２は、前記基板の端部（コネクタ部分；図面では、最上側）から外部に流れ出す形態に切断されたものと表われる。
【０１２２】
図７は、図５のパターンにおいて、第２パターン、第３パターン、及び共通ループの配置形態を示す図面である。
【０１２３】
図面で、第２パターン２１及び第３パターン３１は、感知領域の内部に配され、共通ループ３２は、感知領域の外部または内部に配置される。基板は、透明基板であり、各パターンは、透明導電性物質の印刷方式によって形成されうる。
【０１２４】
第２パターン２１は、一端がそれぞれの連結線を通じて基板の外部に流れ出す。第２パターン２１の他端は、そのまま開状態である。第３パターン３１の一端は、それぞれ共通ループ３２と連結されており、第３パターン３１の他端は、それぞれの連結線を有する。
【０１２５】
各制御部及びスイッチング素子は、前記基板の外部に配されるために、前記連結線は、前記基板のコネクタ部分を通じて外部に流れ出す構成になっている。
【０１２６】
図６に示された基板と図７に示された基板とを重畳すれば、図５に示したようなパターン構造が得られる。
【０１２７】
図８ないし図１５は、本発明による多重入力パッドとディスプレイパネルとの配置関係を説明する図面である。また、パワーコイルのパターンを付け加える形態についても説明する。透明基板で構成されて全体的に透明な多重入力パッドと任意の映像を視覚的に表示するディスプレイパネルとを互いに重畳させれば、ディスプレイパネルに対してユーザが指でタッチして操作を入力するか、電子ペンによって操作を入力することができる入力システムを具現することができる。
【０１２８】
図８は、本発明による多重入力パッドとディスプレイパネルとパワーコイルとを配置する一例を示す図面である。図面を参照すれば、多重入力パッドをディスプレイパネルの上部に配置し、パワーコイルのパターンをバンド状の基板をディスプレイパネル（及び／または多重入力パッド）の側面を取り囲む形態で巻いて形成した筒型基板に形成している（図１１（ａ）参照）。
【０１２９】
このように、パワーコイルが形成されたバンド状の基板をディスプレイパネルの側面に配置することによって、全体システムの厚さ及びベゼル幅を減らせて、軽薄短小型のシステムを具現させうる。
【０１３０】
遮蔽シートを含むことは、選択事項であるが、遮蔽シートの役割は、パワーコイルから放出される誘導電磁場が後側への放射を遮蔽するためのことである。
【０１３１】
図９は、本発明による多重入力パッドとディスプレイパネルとパワーコイルとを配置する他の例を示す図面であって、パワーコイルのパターンがリング状の平面基板に形成されたものを示す。このようなパワーコイルは、多重入力パッドの上部に配されても（図９（ａ）に相当）、多重入力パッドの下部とディスプレイパネルとの間に配されてもよい（図９（ｂ）に相当。また、図１１（ｂ）参照）。
【０１３２】
図１０は、本発明による多重入力パッドとディスプレイパネルとパワーコイルとを配置するさらに他の例であって、パワーコイルをリング状の平面基板に形成し、それを多重入力パッドとディスプレイパネルとの下部に配置した形態を示す。
特に、図１０（ａ）では、パワーコイルを単一のリング状に巻いて構成した例を示している。
【０１３３】
図１０（ｂ）では、パワーコイルが必要な領域、すなわち、感知領域を、一例として、長手方向に沿って幾つかの小領域に区分し、各小領域を取り囲む形態のそれぞれのパワーコイルを配置した形態を示す（図１１（ｃ）参照）。この際、パワーコイルは、互いに絶縁された状態に重畳されうる。このような小規模パワーコイルを組み合わせる構成によれば、感知領域のあらゆる部分で強くて均一な誘導電磁場を形成させうる。したがって、電子ペンに効率的にエネルギーが提供されて、結果的に、電子ペンの位置感知の感度が向上する。
【０１３４】
また、パワーコイルは、別途の基板に形成されるものだけではなく、任意の基板に他の感知パターンと共に形成されうる。すなわち、例えば、図９（ａ）を参照して、多重入力パッドの上面に印刷して構成する方式、図９（ｂ）を参照して、多重入力パッドの下面に印刷して構成する方式、図１０（ａ）を参照して、ディスプレイパネルの下面または遮蔽シートの上面に印刷して構成する方式も考慮することができる。
【０１３５】
図１１は、図８ないし図１０に示されたそれぞれのパワーコイルを含む多様な配置形態を示す図面である。図１１（ａ）は、図８に示したような、パワーコイルが筒型基板に形成され、その基板がディスプレイパネルの側面に配される形態を示す。
【０１３６】
図１１（ｂ）は、複数の小規模パワーコイルを均一に分布させたパターン形態をディスプレイパネルの下面に配置したものを示す図面である。または、ディスプレイパネルの下面または遮蔽シートの上面に印刷された方式であり得る。
【０１３７】
図１１（ｃ）は、パワーコイルが別途の平面基板またはバンド状の基板に形成されて、多重入力パッドとディスプレイパネルとの間に配された形態を示す。または、多重入力パッドの下面またはディスプレイパネルの上面に印刷された方式であり得る。
【０１３８】
図１１（ｄ）は、パワーコイルが構成された別途のパワーコイル層を追加することによって、パワーコイルを配置する形態を示す図面である。すなわち、パワーコイルを他の構成層に同時に形成せず、別途の基板に形成し、その基板を多重入力パッドとディスプレイパネルと遮蔽シートとの任意の間に介在する方式が可能であることを示す。
【０１３９】
もちろん、このような構成例だけではなく、パワーコイルで感知領域の全体に対して効率的に電磁波を放出することができる構造であれば、他の形態のパワーコイル及び配置方式が適用可能である。
【０１４０】
図１２は、パワーコイルのパターンを複数の基板に形成し、その基板を互いに重畳させてパターンを１つに連結させて１つのパワーコイルを形成する例を説明する図面である。示したように、少なくとも２枚の基板のそれぞれにパワーコイルのためのパターンをそれぞれ形成し、その基板を互いに重畳させ、パターンの両端を互いに連結させることによって、１つに連結されたパワーコイルパターンを構成することができる。
【０１４１】
基板に導電性物質を印刷する方法でコイルのパターンを形成する場合には、パターンを単に１層で印刷するしかないので、印刷されるコイルのターン数に制限がある。しかし、前記例のように、複数の基板にそれぞれのパターンを形成し、これらを互いに連結させることによって、多層にターン数が増加したパワーコイルが得られる。
【０１４２】
一方、各基板では、印刷されたパターンの両端部がコネクタ部分で基板の外部に流れるようにし、コネクタ部分に流出されたパターンを別途の基板で互いに連結させるように構成することができる。
【０１４３】
図１３ないし図１５は、図６及び図７に示したように、各パターンが形成された基板の重畳された形態及びパワーコイルの配置方式を断面図として示す図面である。
【０１４４】
図１３は、パワーコイルを感知パターン（すなわち、第１及び第２パターン、第３パターン）が形成された基板の周辺の周り部分に配置した形態を示す。示された例によれば、ディスプレイパネルが配され、指の感知のためのＴＸ信号が印加される第１パターン１１が形成された第１透明基板が配される。その基板で第１パターン１１の外側には、第１パターン１１の両端部をスイッチング素子で連結させるための連結線のパターン１２が形成されうる。一方、連結線の外側には、パワーコイル６１を形成するためのパターンのうち少なくとも一部が配置される。
【０１４５】
第１透明基板の上には、指の感知のためのＲＸ信号が出力される第２パターン２１と、電子ペンの感知のための第３パターン３１と、が交互に形成された第２透明基板が配される。その基板で第２パターン２１及び第３パターン３１の外側には、共通ループ３２のパターンのうち少なくとも一部が形成されうる。また、共通ループ３２の外側には、パワーコイル６１を形成するパターンが配置される。
【０１４６】
前記透明基板の間、また、各基板と他の構成（例えば、ディスプレイパネル及び／または保護ガラス層）との間には、接着層が配置される。
【０１４７】
また、第１透明基板のパワーコイルパターンと第２透明基板のパワーコイルパターンは、それぞれが個別的にコイルドライバ６３に連結されるか、互いに連結されて１つのパワーコイルを構成した後、コイルドライバ６３に連結されうる。
【０１４８】
一方、このように透明基板の感知パターン（例えば、第１パターン、第２パターン、第３パターン、共通ループのパターン、及び連結線のパターン）の外側にパワーコイルのパターンを形成する方式は、透明基板の一面のみにパターンを印刷することで簡単に多様なパターンを形成しうるという長所がある。しかし、単に一面にあらゆるパターンが形成されることによって、平面的に広い面積が必要となるという短所がある。これは、感知領域の構成に必要な構成ではない連結線及びパワーコイルのパターンによるベゼル領域の拡大を招く。
【０１４９】
図１４は、パワーコイルを感知パターンが形成された基板の周り部分に配置したが、図１３とは異なって、パワーコイルを感知パターンが形成された面の反対面に形成した例を示す図面である。示された例によれば、ディスプレイパネルが配され、その上に、第１パターン１１と連結線１２とが上面に形成され、反対面にパワーコイル６１の少なくとも一部が形成された第１透明基板が配される。
【０１５０】
その上に第２パターン２１と第３パターン３１と共通ループ３２とが上面に形成され、反対面にパワーコイルの少なくとも一部が形成された第２透明基板が配される。
【０１５１】
この際、第１透明基板の上面のパターンと第２透明基板の反対面のパワーコイルのパターンは、互いに絶縁されなければならず、このために接着層が介在されうる。
【０１５２】
第１透明基板に形成されたパワーコイルのパターンと第２透明基板に形成されたパワーコイルのパターンは、互いに連結されうる。
【０１５３】
このような構成によれば、パワーコイルを形成するために必要な面積が別途に必要ではなくて、ベゼル領域を最小化することができる。
【０１５４】
図１５は、パワーコイルを別途の基板に形成した後、多重入力パッド及びディスプレイパネルと結合する例を示す図面である。図面を参照すれば、ＰＥＴなどからなる第３透明基板の一面または両面に多様な方式でパワーコイルのパターン６１を形成し、その基板を多重入力パッドとディスプレイパネルとの任意の位置に挿入する構成が可能である。
【０１５５】
このような構成方式によれば、パワーコイルのパターンを感知パターンとは別途に構成することができるので、製作の容易性が向上する。また、電子ペンにエネルギーを供給することができる最も効率的な位置に第３基板を挿入することができるので、多重入力パッドに対する設計の柔軟性を向上させる。また、パワーコイルが不要な場合（例えば、自体的にバッテリを搭載した電子ペンと共に使う場合）には、単に第３基板を除くことで十分なので、パワーコイルを含む機器設計を容易にする。
【０１５６】
前述された本発明の実施形態は、本発明の技術思想を例示的に示すものに過ぎず、本発明の保護範囲は、以下の特許請求の範囲によって解釈されるべきであろう。また、当業者ならば、本発明の本質的な特性から外れない範囲で多様な修正及び変形が可能であるので、本発明と同等な範囲内にあるあらゆる技術思想は、本発明の権利範囲に含まれると解釈されねばならない。
【産業上の利用可能性】
【０１５７】
本発明は、情報技術（ＩＴ、Ｉｎｆｏｒｍａｔｉｏｎ  Ｔｅｃｈｎｏｌｏｇｙ）産業分野に適用可能である。
【図１】
0006283125.tif 000002
【図２】
0006283125.tif 000003
【図３】
0006283125.tif 000004
【図４】
0006283125.tif 000005
【図５】
0006283125.tif 000006
【図６】
0006283125.tif 000007
【図７】
0006283125.tif 000008
【図８】
0006283125.tif 000009
【図９】
0006283125.tif 000010
【図１０】
0006283125.tif 000011
【図１１】
0006283125.tif 000012
【図１２】
0006283125.tif 000013
【図１３】
0006283125.tif 000014
【図１４】
0006283125.tif 000015
【図１５】
0006283125.tif 000016